【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
複数の燐−窒素反復ユニットを含み、該反燐−窒素反復ユニットの燐原子に共有結合したペンダント基を有した少なくとも１つの硫黄含有ホスファゼン化合物を含んでおり、前記ペンダント基のそれぞれはポリエーテル、ポリチオエーテル及びそれらの組み合わせから選択されることを特徴とする電池溶媒。
【請求項２】
少なくとも１つのホスファゼン化合物は３から１０の燐−窒素反復ユニットを含んでおり、各燐−窒素反復ユニットの燐原子はそれぞれの窒素原子に二重結合しており、各燐−窒素反復ユニットは隣接する燐−窒素反復ユニットに単結合していることを特徴とする請求項１記載の電池溶媒。
【請求項３】
電池電解質のためのイオン運搬液添加剤であって、
燐−窒素（ＰＮ）結合部とペンダントＲ基とを含んでおり、
一般形態である（ＰＮ）mＲ1Ｒ2Ｒ3・・・Ｒ2mを有しており、各Ｒは一般形態である−Ｘ（ＣＨ2）nＹ1（ＣＨ2）p1Ｙ2（ＣＨ2）p2・・・Ｙi（ＣＨ2）piＣＨ3を有しており、
ｍは３から６であり、ｎは１から６であり、ＸとＹは酸素、硫黄、セレニウム、テルリウム及びポロニウムから独立的に選択されるものであり、ｐ1からｐiは１から６であることを特徴とする添加剤。
【請求項４】
固体ポリマー電解質、移動性カチオン及び環式ホスファゼンを含んだイオン運搬化合物を含んだ電池電解質であって、
前記環式ホスファゼンは燐と窒素の環状核と、該環状核の燐原子に結合した複数のリガンドを含んでおり、少なくとも１つのリガンドは前記環状核の前記燐原子に結合した硫黄原子を含んでいることを特徴とする電解質。
【請求項５】
少なくとも１つのリガンドはポリチオエーテルを含んでいることを特徴とする請求項４記載の電解質。
【請求項６】
少なくとも１つのリガンドは酸素、硫黄、セレニウム、テルリウム及びポロニウムから選択される元素を含んでいることを特徴とする請求項４記載の電解質。
【請求項７】
環状ホスファゼン以外にはイオン運搬化合物を含有しないことを特徴とする請求項４記載の電解質。
【請求項８】
炭酸エチレンを含有しないことを特徴とする請求項４記載の電解質。
【請求項９】
硫黄を含む環式ホスファゼン化合物を含んでいることを特徴とする電池。
【請求項１０】
アノード、カソード及び少なくとも１つのホスファゼン化合物を含む電解質溶液を含む電池であって、
前記ホスファゼン化合物は少なくとも２つの燐−窒素ユニットを含んでおり、該少なくとも２つの燐−窒素ユニットはそれらの各燐原子に結合した２つのペンダント基を含んでおり、各ペンダント基はポリエーテル基、ポリチオエーテル基及びポリエーテル/ポリチオエーテル基から選択されることを特徴とする電池。
【請求項１１】
少なくとも１つのペンダント基は線形ペンダント基を含んでいることを特徴とする請求項１０記載の電池。
【請求項１２】
少なくとも１つのペンダント基は枝形ペンダント基を含んでいることを特徴とする請求項１０記載の電池。
【請求項１３】
少なくとも１つのホスファゼン化合物は少なくとも１つのホモトリマーを含んでいることを特徴とする請求項１０記載の電池。
【請求項１４】
少なくとも１つのホスファゼン化合物は少なくとも１つのヘテロトリマーを含んでいることを特徴とする請求項１０記載の電池。
【請求項１５】
各ペンダント基は酸素結合部、硫黄結合部、セレニウム結合部、テルリウム結合部あるいはポロニウム結合部を介して硫黄原子に結合していることを特徴とする請求項１０記載の電池。
【請求項１６】
２つのペンダント基の一方は線形ポリエーテル/ポリチオエーテル基を含み、他方は枝形ポリエーテル/ポリチオエーテル基を含んでいることを特徴とする請求項１０記載の電池。
【請求項１７】
２つのペンダント基はハロゲン原子を含まないことを特徴とする請求項１０記載の電池。
【請求項１８】
少なくとも１つのホスファゼン化合物は以下の化学構造を有する少なくとも１つの化合物を含み、
【化１】
2007538372.tif 000001
ＸとＹのそれぞれは酸素、硫黄、セレニウム、テルリウム及びポロニウムから選択され、ｎは１から１０であり、ｚは１から６であることを特徴とする請求項１０記載の電池。
【請求項１９】
電解質溶液は少なくとも１つのホスファゼン化合物を含んでいることを特徴とする請求項１０記載の電池。
【請求項２０】
多孔質セパレータをさらに含んでいることを特徴とする請求項１０記載の電池。
【請求項２１】
炭酸エチレン、炭酸ジエチレン及び炭酸プロピレンから選択される少なくとも１つの溶媒をさらに含んでいることを特徴とする請求項１０記載の電池。
【請求項２２】
少なくとも１つの化合物は、
【化２】
2007538372.tif 000002
【化３】
2007538372.tif 000003
【化４】
2007538372.tif 000004
【化５】
2007538372.tif 000005
及び
【化６】
2007538372.tif 000006
から選択される化合物を含んでいることを特徴とする請求項１０記載の電池。
【請求項２３】
アノード、カソード及び少なくとも１つのホスファゼン化合物を含む電解質溶液を含む電池であって、
前記ホスファゼン化合物は少なくとも２つの燐−窒素ユニットを含んでおり、該少なくとも２つの燐−窒素ユニットはそれらの各燐原子に結合した少なくとも２つのペンダント基を含んでおり、前記ホスファゼン化合物はさらに、前記少なくとも２つの燐−窒素ユニットの末端窒素原子に結合された末端基を含んでおり、
各ペンダント基はポリエーテル基、ポリチオエーテル基またはポリエーテル/ポリチオエーテル基を含んでいることを特徴とする電池。
【請求項２４】
末端基は水素、アルキル基、アルケン基、アルコキシド基、ポリエーテル基、ポリチオエーテル基、シロキサン基または−Ｘ（ＣＨ2）nＹ（ＣＨ2）nＹ（ＣＨ2）n・・・Ｙ（ＣＨ2）nＣＨ3を含んでおり、ｎは１から６であり、ＸとＹはそれぞれ酸素、硫黄、セレニウム、テルリウム及びポロニウムから独立的に選択されるものであることを特徴とする請求項２３記載の電池。
【請求項２５】
少なくとも１つのホスファゼン化合物は以下の化学構造を含んでおり、
【化７】
2007538372.tif 000007
ｍは２から６であり、Ｒ1とＲ2のそれぞれは−Ｘ（ＣＨ2）nＹ（ＣＨ2）nＹ（ＣＨ2）n・・・Ｙ（ＣＨ2）nＣＨ3を有しており、ｎは１から６であり、ＸとＹはそれぞれ酸素、硫黄、セレニウム、テルリウム及びポロニウムから独立的に選択されるものであり、Ｒ3とＲ4のそれぞれは−Ｘ（ＣＨ2）nＹ（ＣＨ2）nＹ（ＣＨ2）n・・・Ｙ（ＣＨ2）nＣＨ3
ハロゲン、アルキル基、アルケン基、アルコキシド基、ポリエーテル基、ポリチオエーテル基、シロキサン基から選択されるものであることを特徴とする請求項２３記載の電池。
【請求項２６】
少なくとも１つのホスファゼン化合物はポリ（ビス（メトキシエトキシエトキシ））ホスファゼンではないことを特徴とする請求項２３記載の電池。
【請求項２７】
カソード、アノード、固形ポリマー電解質、少なくとも１つの環式ホスファゼン化合物を含んだ溶媒及び電解質塩を含んでいることを特徴とする電池。
【請求項２８】
固形電解質はポリマーとセラミックの複合体を含んでいることを特徴とする請求項２７記載の電池。
【請求項２９】
多孔質セパレータをさらに含んでいることを特徴とする請求項２７記載の電池。
【請求項３０】
炭酸エチレン、炭酸ジエチレン及び炭酸ポリエチレンから選択された少なくとも１つの非ホスファゼン系電池溶媒をさらに含んでいることを特徴とする請求項２７記載の電池。
【請求項３１】
電解質塩はＬｉＰＦ6、ＬｉＢＦ4及びＬｉＣｌＯ4から選択されるものを含んでいることを特徴とする請求項２７記載の電池。